(57)【要約】【課題】  構造物の間に形成される目地がいずれの方向に開いても、これに充分に余裕を持って追随して伸縮変形させ、止水を維持することができるとともに、目地に追随させて容易に原状に復帰させることができる構造物の目地止水継手を提供すること。【解決手段】  可撓性材料で横断面形状がアーチ状の目地を覆う伸縮部１１とその両側の平板状の構造物への固定部１２とを有する可撓止水部材１３ａ、１３ｂ同士を構造物の目地形状に対応する形状に形成し、これら可撓止水部材同士の交差部１４に交差中心から切込部１５を形成し、切込部に連続させて伸縮を許容する伸縮用傾斜部１６とこれらに連続して伸縮を許容する伸縮用略角錐部１７とを水密に形成してある。これにより、伸縮用傾斜部に加え、伸縮用略角錐部でも伸縮でき、目地がいずれの方向に開いても、充分に余裕を持って追随して伸縮変形させて止水を維持するようにし、目地が閉じる場合にも傾斜部および略角錐部の初期形状で容易に原状に復帰させるようにしている。【選択図】  図１
2006257712.tif 000002
【特許請求の範囲】
【請求項１】
可撓性材料からなり横断面形状がアーチ状の目地を覆う伸縮部とその両側の平板状の構造物への固定部とを有する可撓止水部材同士を前記構造物の目地形状に対応する形状に形成する一方、これら可撓止水部材同士の交差部に交差中心から切込部を形成し、これら切込部に連続させて伸縮を許容する伸縮用傾斜部とこれら伸縮用傾斜部に連続して伸縮を許容する伸縮用略角錐部とを水密に形成してなることを特徴とする構造物の目地止水継手。
【請求項２】
前記切込部を前記交差中心から前記目地形状に対応させて形成してなることを特徴とする請求項１記載の構造物の目地止水継手。
【請求項３】
前記伸縮用傾斜部を凹状に傾斜させて形成する一方、この傾斜部に連続する前記伸縮用略角錐部を凸状に形成したことを特徴とする請求項１または２記載の構造物の目地止水継手。
【請求項４】
前記伸縮用略角錐部を、前記伸縮用傾斜部内に収納可能に形成してなることを特徴とする請求項１〜３のいずれかに記載の構造物の目地止水継手。
【発明の詳細な説明】
【技術分野】
【０００１】
この発明は、構造物の目地止水継手に関し、特に配水池の床板等のコンクリート構造物の十字状またはＴ字状などの目地の止水継手として好適なものである。
【背景技術】
【０００２】
構造物の目地部分を止水する必要がある場合の1つに配水池等のコンクリート構造物の床部分等の目地部分があり、例えば十字状やＴ字状に形成される目地部分の変位を許容しつつ漏水などを防止するため目地止水継手が用いられている。
【０００３】
コンクリート構造物の十字状の目地部分に用いられる目地止水継手としては、例えば図６に示しように、横断面形状がＵ字形（またはＶ字形）のアーチ状の可撓止水部材を使用するものがある。
【０００４】
この目地止水継手では、可撓止水部材ａが十字状に一体成形された伸縮部ｂと、その両側の平板状の固定部ｃからなり、この可撓止水部材ａの伸縮部ｂで隣接する４つのコンクリート構造物間の目地ｅを覆うようにして配置し、固定部ｃをアンカーｆで各コンクリート構造物に固定するようにしている。
【０００５】
このような十字状の可撓止水部材を使用する目地止水継手では、目地が地震等のため開く場合には、交差部ｄ以外の部分のＵ字形断面のアーチ状の伸縮部ｂが拡開することによって目地の変位に追随して伸びることができるが、交差部ｄにおいては、可撓止水部材の横断面形状がＵ字形のアーチ状ではなく直線状であるため、この部分の材料の許容弾性変形の範囲内でしか変位することができず、目地の大きな開きに追随することができない。
【０００６】
そこで、目地の大きな開きに追随することができる目地止水継手として、特許文献１に示すものを提案している。
【０００７】
この目地止水継手は、図７に示すように、横断面形状がアーチ形状の伸縮部４とその両側の平板状の固定部５を有する可撓止水部材を、直線状に延長する第１の可撓止水部材２と、これと交差するようにして延長する第２の可撓止水部材３とを一体成形するとともに、第１および第２の可撓止水部材の交差部６に伸縮を許容する傾斜部７を形成して構成されており、伸縮部を隣接する複数のコンクリート構造物間の目地を覆うようにして配置し、固定部５を各コンクリート構造物に固定して使用する。
【特許文献１】特開２００３−３２８４５４号公報
【発明の開示】
【発明が解決しようとする課題】
【０００８】
このような特許文献１の目地止水継手によれば、隣接するコンクリート構造物間の十字状またはＴ字状などの目地がいずれの方向に開いても、これに追随して伸縮部および傾斜部が変形することによって止水状態を維持することができるとともに、伸長した状態から原状に復帰することもできる。
【０００９】
ところが、この目地止水継手でも目地部分の変位に追随できる範囲に限界があり、さらに大きな目地部分の変位が生じても十分な余裕を有して追随でき、伸長状態から原状に容易に復帰させることができる構造物の目地止水継手の開発が望まれている。
【００１０】
この発明は、上記要望に鑑みてなされたものであって、構造物の間に形成される目地が交差する場合に、目地がいずれの方向に開いても、これに充分に余裕を持って追随して伸縮変形させることで止水を維持することができるとともに、目地が開いた状態から閉じるように変位した場合にも容易に原状に復帰させることができる構造物の目地止水継手を提供しようとするものである。
【課題を解決するための手段】
【００１１】
そこで、従来の目地止水継手について鋭意検討を重ねた結果、交差部の変位に追随できる範囲は、傾斜部が平板状になるまでの範囲であり、伸縮部の高さによって限界があることから、傾斜部に加え、さらに伸縮できる部分を設けることが有効であることを見出し、この発明を完成したものである。
【００１２】
すなわち、上記課題を解決するため、この発明の請求項１記載の構造物の目地止水継手は、可撓性材料からなり横断面形状がアーチ状の目地を覆う伸縮部とその両側の平板状の構造物への固定部とを有する可撓止水部材同士を前記構造物の目地形状に対応する形状に形成する一方、これら可撓止水部材同士の交差部に交差中心から切込部を形成し、これら切込部に連続させて伸縮を許容する伸縮用傾斜部とこれら伸縮用傾斜部に連続して伸縮を許容する伸縮用略角錐部とを水密に形成してなることを特徴とするものである。
【００１３】
この構造物の目地止水継手によれば、可撓止水部材同士の交差部に形成した切込部に伸縮用傾斜部と伸縮用略角錐部とを連続して形成するようにしてあり、傾斜部に加え、さらに略角錐部でも伸縮でき、目地がいずれの方向に開いても、これに充分に余裕を持って追随して伸縮変形させることで止水を維持することができるとともに、目地が開いた状態から閉じるように変位した場合にも傾斜部および略角錐部の初期形状で容易に原状に復帰させることができるようにしている。
【００１４】
また、この発明の請求項２記載の構造物の目地止水継手は、請求項１記載の構成に加え、前記切込部を前記交差中心から前記目地形状に対応させて形成してなることを特徴とするものである。
【００１５】
この構造物の目地止水継手によれば、前記切込部を前記交差中心から前記目地形状に対応させて形成するようにしており、十字状やＴ字状などの目地形状で目地がいずれの方向に開いても、これに充分に余裕を持って追随して伸縮変形させることで止水を維持することができるようになる。
【００１６】
さらに、この発明の請求項３記載の構造物の目地止水継手は、請求項１または２記載の構成に加え、前記伸縮用傾斜部を凹状に傾斜させて形成する一方、この傾斜部に連続する前記伸縮用略角錐部を凸状に形成したことを特徴とするものである。
【００１７】
この構造物の目地止水継手によれば、前記伸縮用傾斜部を凹状に傾斜させ、この傾斜部に連続する前記伸縮用略角錐部を凸状に形成してあり、凹状の傾斜部と凸状の略角錐部とを折りたたむようにし、初期状態でコンパクトな形状としながら目地がいずれの方向に開いても、これに充分に余裕を持って追随して伸縮変形させ、止水を維持するとともに、目地が開いた状態から閉じるように変位した場合にも容易に原状に復帰するようになる。
【００１８】
また、この発明の請求項４記載の構造物の目地止水継手は、請求項１〜３のいずれかに記載の構成に加え、前記伸縮用略角錐部を、前記伸縮用傾斜部内に収納可能に形成してなることを特徴とするものである。
【００１９】
この構造物の目地止水継手によれば、前記伸縮用略角錐部を、前記伸縮用傾斜部内に収納可能に形成してあり、初期状態でコンパクトな形状としながら目地がいずれの方向に開いても、これに充分に余裕を持って追随して伸縮変形させ、止水を維持するとともに、目地が開いた状態から閉じるように変位した場合にも容易に原状に復帰するようになる。
【発明の効果】
【００２０】
この発明の請求項１記載の構造物の目地止水継手によれば、可撓止水部材同士の交差部に形成した切込部に伸縮用傾斜部と伸縮用略角錐部とを連続して形成したので、傾斜部に加え、さらに略角錐部でも伸縮でき、目地がいずれの方向に開いても、これに充分に余裕を持って追随して伸縮変形させることで止水を維持することができるとともに、目地が開いた状態から閉じるように変位した場合にも傾斜部および略角錐部の初期形状で容易に原状に復帰させることができる。
【００２１】
また、この発明の請求項２記載の構造物の目地止水継手によれば、前記切込部を前記交差中心から前記目地形状に対応させて形成したので、十字状やＴ字状などの目地形状で目地がいずれの方向に開いても、これに充分に余裕を持って追随して伸縮変形させることができ、止水を維持することができる。
【００２２】
さらに、この発明の請求項３記載の構造物の目地止水継手によれば、前記伸縮用傾斜部を凹状に傾斜させ、この傾斜部に連続する前記伸縮用略角錐部を凸状に形成したので、凹状の傾斜部と凸状の略角錐部とを折りたたむことで、初期状態でコンパクトな形状としながら目地がいずれの方向に開いても、これに充分に余裕を持って追随して伸縮変形させ、止水を維持することができるとともに、目地が開いた状態から閉じるように変位した場合にも容易に原状に復帰させることができる。
【００２３】
また、この発明の請求項４記載の構造物の目地止水継手によれば、前記伸縮用略角錐部を、前記伸縮用傾斜部内に収納可能に形成したので、伸縮変形代を大きくしながら初期状態ではコンパクトな形状とすることができる。
【発明を実施するための最良の形態】
【００２４】
以下、この発明の実施の形態について図面を参照して詳細に説明する。  
図１〜図３は、この発明の構造物の目地止水継手の一実施の形態にかかり、図１（ａ）は組立状態の概略斜視図、（ｂ）は伸縮用傾斜部のみを示す概略斜視図、（ｃ）は伸縮用略角錐部のみを下から見て示す概略斜視図、図２は伸縮用傾斜部と伸縮用略角錐部の部分拡大斜視図、図３（ａ）は取り付け状態の中央断面図、（ｂ）は目地が開いた状態の伸縮部および交差部それぞれの中央断面図である。
【００２５】
この構造物の目地止水継手１０は、例えば十字状にコンクリート構造物Ｃ同士が交差する目地部分の止水に用いるもので、可撓性材料であるゴム・合成樹脂からなり横断面が上方に突出するアーチ状の目地を覆う伸縮部１１とその両側の平板状のコンクリート構造物への固定部１２を有する可撓止水部材１３を備えており、この可撓止水部材１３は十字状の目地形状に対応して直線状に延長する第１の可撓止水部材１３ａと、この第１の可撓止水部材１３ａと十字状に交差して延長する第２の可撓止水部材１３ｂとを一体成形して十字状に構成されている。
【００２６】
この構造物の目地止水継手１０では、可撓止水部材１３の交差部１４、すなわち第１および第２の可撓止水部材１３ａ、１３ｂの交差部１４には、交差部１４の中心から目地形状に対応して十字状の切込部１５が伸縮部１１の頂部に沿って形成され、各角部にＲ加工１５ａを施すとともに、各端部に切込み幅より大きい円の打抜き加工１５ｂが施されて変形による裂けを防止するようにしてある。
【００２７】
この十字状の切込部１５の縁部に連続して伸縮用傾斜部１６が形成され、図１（ｂ）に示すように、略直角に折り曲げた４枚の可撓性部材１６ａを十字状の空間を形成するように重ねて接着することで構成され、ここでは、伸縮用傾斜部１６は切込部１５からそれぞれ下方に傾斜する傾斜面１６ｂとされ、隣接する伸縮用傾斜部１６同士でＶ字状の谷部を形成するように伸縮用傾斜部１６が凹状に形成してある。
【００２８】
さらに、この構造物の目地止水継手１０では、伸縮用傾斜部１６の内側に伸縮用略角錐部１７が形成され、図１（ｃ）に反転した状態で示すように、十字状の目地形状に対応した中空の略四角錐状に形成され、４つの側面を形成する可撓性部材１７ａをそれぞれ中央で折り曲げて接着した略４角錐状とされて構成され、ここでは、伸縮用略角錐部１７の底縁１７ｂをそれぞれ伸縮用傾斜部１６の下端縁部１６ｃと接着してあり、構造物の目地止水継手１０全体として水密になっている。
【００２９】
したがって、この構造物の目地止水継手１０では、図３（ａ）に中央断面を示すように、十字状の切込部１５の縁部に連続して伸縮用傾斜部１６が形成されて下方に傾斜する傾斜面で凹状の伸縮用傾斜部１６が構成され、隣接する傾斜面の下端縁部に伸縮用略角錐部１７の各側面の底縁がそれぞれ接着されて凸状の伸縮用略角錐部１７が構成されている。
【００３０】
これにより、この構造物の目地止水継手１０では、各目地に直交する方向に、隣接する伸縮用傾斜部１６の傾斜面と伸縮用略角錐部１７の側面とで形成される略Ｖ字状の谷部がそれぞれ４つの連続した状態で形成されており、それぞれがコンクリート構造物Ｃ間の目地の変位に追随して伸縮を許容するようになっている。
【００３１】
なお、このような構造物の目地止水継手１０は、次のようにして製造することができ、例えば図１に示す十字状の第１,２可撓止水部材１３ａ，１３ｂ、伸縮用傾斜部１６、伸縮用略角錐部１７を一体化する専用の成形金型を用いて一体成形したり（プレス加硫）、伸縮用傾斜部１６と伸縮用略角錐部１７とを予め一体成形した後、十字状の第１,２可撓止水部材１３ａ，１３ｂを押し出し成形して成形金型に入れて、これらを取り付けてプレス加硫する。
【００３２】
次に、このように構成した構造物の目地止水継手１０の動作について説明する。  
この構造物の目地止水継手１０では、アーチ状の各伸縮部１１をそれぞれコンクリート構造物Ｃ間の十字状の目地を覆うようにして配置し、平板状の各固定部１２を図示しない押え板を介してアンカーボルトにより各コンクリート構造物Ｃに固定して使用する。
【００３３】
この使用状態で、地震等によりコンクリート構造物Ｃの１または複数が伸縮変位すると、第１および第２の可撓止水部材１３ａ、１３ｂの対応する伸縮部１１は、コンクリート構造物Ｃの変位に追随して伸縮し、例えば図３（ｂ）中に伸長状態を示すように、最大伸縮部１１がほぼ平坦になるまで伸長することができる。
【００３４】
この場合、構造物の目地止水継手１０の交差部１４においては、伸縮部１１は伸縮用傾斜部１６および伸縮用略角錐部１７が伸長または収縮することが可能であるので、伸縮部１１の交差部１４以外の他の部分と同様にコンクリート構造物Ｃの変位に追随して伸縮することができ、例えば図３（ｂ）中に伸長状態を示すように、伸縮用傾斜部１６および伸縮用略角錐部１７がそれぞれ伸長し、谷部が広がるように変形する。
【００３５】
したがって、この構造物の目地止水継手１０では、伸縮部１１はもちろん、交差部１４の伸縮用傾斜部１６および伸縮用略角錐部１７が伸縮することで、全体として充分に伸縮変形することができ、止水性を充分に維持することができる。
【００３６】
なお、この発明の構造物の目地止水継手１０は、例えば図４に示すように、コンクリート構造物Ｃ間の目地に溝Ｃ１が形成される場合には、表裏を反転した状態で使用するようにし、可撓止水部材１３ａ、１３ｂの伸縮部１１は横断面がＵ字状のアーチ形状をなすようにして溝Ｃ１内に収容し、平板状の固定部１２をコンクリート構造物Ｃの溝Ｃ１上部の表面に当て、押え板を介してアンカーボルトにより各コンクリート構造物Ｃに固定するようにする。
【００３７】
このような表裏を反転した構造物の目地止水継手１０によっても、すでに説明したものと同様に、地震等によりコンクリート構造物Ｃの１または複数が伸縮変位すると、伸縮部１１はもちろん、交差部１４の伸縮用傾斜部１６および伸縮用略角錐部１７が伸縮することで、全体として充分に伸縮変形することができ、止水性を充分に維持することができる。
【００３８】
以上のように、この構造物の目地止水継手の伸縮部１１の「アーチ状」とは逆Ｕ字状およびＵ字状のいずれであっても良く、また、Ｕ字状に限らずＶ字状などの他の形状で構成することができるとともに、さらにＶ字形またはＵ字形等の形状を１つに限らず複数備えて波状に構成しても良い。
【００３９】
例えば、構造物の目地止水継手１０Ａでは、図５に示すように、アーチ状の伸縮部１１Ａを２つの略Ｕ字形状が連続する波状に形成してあり、伸縮部１１Ａの頂部が谷部に位置することから、交差部１４の伸縮用傾斜部１６および伸縮用略角錐部１７は図１で説明したものと異なり、図４の場合と同様に反転した状態で設けてある。
【００４０】
このように構成した構造物の目地止水継手１０Ａでは、伸縮部１１のアーチ状の高さを低く抑えながら、より大きな伸縮変形代を確保することができるとともに、初期状態でのコンクリート構造物Ｃ間の目地の幅が広い場合にも対応することができる。
【００４１】
なお、上記実施の形態では、コンクリート構造物の目地の形状が十字状の場合を例に説明したが、これに限らずＴ字状の目地形状であっても良く、この場合には、Ｔ字状の切込部とこれに連続する伸縮用傾斜部を設けるのに加え、伸縮用略角錐部を略三角錘状にするようにし、さらに目地形状が目地中心から放射方向に多数形成される場合には、それに対応した多角形状の切込部および伸縮用傾斜部を設けるのに加え、対応した多角形状の伸縮用略角錐部を設けるようにすれば良い。
【００４２】
また、上記実施の形態では、コンクリート構造物の目地が平面上に位置する場合を例に説明したが、底部とこれに続く側面などの立体的に配置される目地部分に用いることもできる。
【図面の簡単な説明】
【００４３】
【図１】この発明の構造物の目地止水継手の一実施の形態にかかり、（ａ）は組立状態の概略斜視図、（ｂ）は伸縮用傾斜部のみを示す概略斜視図、（ｃ）は伸縮用略角錐部のみを下から見て示す概略斜視図である。
【図２】この発明の構造物の目地止水継手の一実施の形態にかかる伸縮用傾斜部と伸縮用略角錐部の部分拡大斜視図である。
【図３】この発明の構造物の目地止水継手の一実施の形態にかかり、（ａ）は取り付け状態の中央断面図、（ｂ）は目地が開いた状態の伸縮部および交差部それぞれの中央断面図である。
【図４】この発明の構造物の目地止水継手の他の一実施の形態にかかる組立状態の概略斜視図である。
【図５】この発明の構造物の目地止水継手のさらに他の一実施の形態にかかる組立状態の概略斜視図である。
【図６】従来の構造物の目地止水継手の概略斜視図である。
【図７】従来の構造物の目地止水継手の概略斜視図およびＡ−Ａ断面図である。
【符号の説明】
【００４４】
１０，１０Ａ                構造物の目地止水継手
１１                        伸縮部
１２                        固定部
１３                        可撓止水部材
１３ａ，１３ｂ              第１，第２の可撓止水部材
１４                        交差部
１５                        切込部
１５ａ                      Ｒ加工
１５ｂ                      打抜き加工
１６                        伸縮用傾斜部
１６ａ                      可撓性部材
１６ｂ                      傾斜面
１６ｃ                      下端縁
１７                        伸縮用略角錐部
１７ａ                      可撓性部材
１７ｂ                      下端縁
Ｃ                          コンクリート構造物
Ｃ１                        溝
【図１】
2006257712.tif 000003
【図２】
2006257712.tif 000004
【図３】
2006257712.tif 000005
【図４】
2006257712.tif 000006
【図５】
2006257712.tif 000007
【図６】
2006257712.tif 000008
【図７】
2006257712.tif 000009